(57)【要約】【課題】デジタルインタフェースを具備しない電源装置においても電源の制御を容易に、且つ、小型で実現可能な給電システムを提供する。【解決手段】電源部１０１、１０２、１２０に対応するデジタルインタフェースを具備する制御部１０３、１０４、１２１と、制御部１０３、１０４、１２１との間で通信を行う中央処理部１０５とを具備する。制御部１０２、１０４、１２１は、中央処理部１０５から送信された電源部１０１、１０２、１２１を制御するための命令に従い、電源部１０１、１０２、１２０の投入タイミング、停止タイミング、出力電圧監視、出力電圧調整を制御する。【選択図】図１
2012235678.tif 000002
【特許請求の範囲】
【請求項１】
電源部と、
前記電源部に対応して設けられ、対応する電源部を制御するためのデジタルインタフェースを具備する制御部と、
前記制御部とバスを介して接続され、前記制御部との間で通信を行う中央処理部とを具備し、
前記制御部は、前記中央処理部から送信された前記電源部を制御するための命令に従い、前記電源部を制御することを特徴とする給電システム。
【請求項２】
前記制御部は、前記中央処理部からの命令に従い、対応する電源部の電源投入タイミングの制御、対応する電源部の電源停止タイミングの制御、対応する電源部の出力電圧監視、又は、対応する電源部の出力電圧調整を行なうことを特徴とする請求項１に記載の給電システム。
【請求項３】
前記電源部の出力端子に該出力端子から所定距離以内の場所でその入力端子が接続されたＡ／Ｄ変換器と、前記制御部のモニタ端子に該モニタ端子から所定距離以内の場所でその出力端子が接続されたＤ／Ａ変換器とを更に備え、
前記電源部の出力電圧監視において、前記電源部の出力端子から出力された出力電圧は、前記Ａ／Ｄ変換器でＡ／Ｄ変換され、前記Ａ／Ｄ変換器の出力デジタル信号は、前記Ｄ／Ａ変換器でアナログ信号に変換され、該アナログ信号が前記モニタ端子に入力されることを特徴とする請求項２に記載の給電システム。
【請求項４】
前記電源部の出力端子に該出力端子から所定距離以内の場所でその入力端子が接続された第２のＡ／Ｄ変換器と、前記電源部のセンス端子に該センス端子から所定距離以内の場所でその出力端子が接続された第２のＤ／Ａ変換器とを更に備え、
前記電源部の出力端子から出力された出力電圧は、前記第２のＡ／Ｄ変換器でＡ／Ｄ変換され、前記第２のＡ／Ｄ変換器の出力デジタル信号は、前記第２のＤ／Ａ変換器でアナログ信号に変換され、該アナログ信号が前記センス端子に入力されることを特徴とする請求項２又は３に記載の給電システム。
【請求項５】
前記制御部は、対応する電源部の所定の出力電圧設定値毎に前記電源部に出力する出力電圧調整のための制御信号との対応関係をメモリ部に記憶し、前記対応する電源部の出力電圧値を調整する場合には、前記メモリ部に記憶している調整後の出力電圧設定値に対応した前記制御信号を前記対応する電源部に出力することを特徴とする請求項２乃至４の何れか１項に記載の給電システム。
【請求項６】
前記電源部と前記制御部との組が複数備わり、
前記中央処理部は、複数の制御部に対して、所定のシーケンスに従って、それぞれに対応する電源部の電源投入を指示する信号を出力し、又は、所定のシーケンスに従って、それぞれに対応する電源部の電源停止タイミングを指示する信号を出力し、
前記複数の制御部の各々は、前記中央処理部から入力した電源部の電源投入を指示する信号に従って、対応する電源部の電源を投入し、又は、前記制御部から入力した電源部の電源停止を指示する信号に従って、対応する電源部の電源を停止することを特徴とする請求項２乃至５の何れか１項に記載の給電システム。
【請求項７】
電源部と、
前記電源部に対応して設けられ、対応する電源部を制御するためのデジタルインタフェースを具備する制御部と、
前記制御部とバスを介して接続され、前記制御部との間で通信を行う中央処理部とを具備する給電システムの給電方法であって、
前記制御部は、前記中央処理部から送信された前記電源部を制御するための命令に従い、前記電源部を制御することを特徴とする給電方法。
【請求項８】
電源部を制御するためのデジタルインタフェースを具備する制御装置であって、
バスを介して中央制御装置と接続され、前記中央処理部との間で通信を行ない、
前記中央処理装置から送信された前記電源部を制御するための命令に従い、前記電源部を制御することを特徴とする制御装置。
【請求項９】
電源部と、
前記電源部に対応して設けられ、対応する電源部を制御するためのデジタルインタフェースを具備する制御部と、
前記制御部とバスを介して接続され、前記制御部との間で通信を行う中央処理装置とを具備する給電システムに含まれる中央処理装置であって、
当該中央処理装置は、前記電源部を制御するための命令を前記制御部に送信し、
前記制御部は、当該中央処理装置から送信された前記命令に従い、前記電源部を制御することを特徴とする中央処理装置。
【請求項１０】
電源装置と、
前記電源装置に対応して設けられ、対応する電源装置を制御するためのデジタルインタフェースを具備する制御部と、
前記制御部とバスを介して接続され、前記制御部との間で通信を行う中央処理部とを具備する給電システムに含まれる電源装置であって、
前記中央処理部から送信された当該電源装置を制御するための命令に従って動作する制御部に従って、制御されることを特徴とする電源装置。
【発明の詳細な説明】
【技術分野】
【０００１】
本発明は、負荷に電源を供給する給電システム及び方法、特に、回路基板上に搭載されたＩＣ、ＬＳＩ等の電子部品に電源を供給するのに好適な給電システム及び方法に関するものである。
【背景技術】
【０００２】
従来例の回路基板内の給電システムを図１０に示す。図１０において、電源部１、２は回路基板上に搭載されたＩＣ、ＬＳＩ等の電子部品に電源を供給する電源部である。出力ｏｎ／ｏｆｆ制御部３は電源部１、２のｏｎ／ｏｆｆを制御し、出力電圧調整部４、５はそれぞれ電源部１、２の出力電圧を調整する。出力電圧監視部６、７はそれぞれ電源部１、２の出力電圧を監視する。
【０００３】
図１０に示す給電システムでは、電源の出力ｏｎ／ｏｆｆ制御、出力電圧調整、出力電圧監視を行うには、それぞれ別々のデバイスが使用され、例えば、電源の出力ｏｎ／ｏｆｆ制御はＦＰＧＡ、出力電圧調整は外付け抵抗、出力電圧監視は電圧監視ＩＣが使用されている。
【０００４】
そのため、出力電圧調整を行うｔｒｉｍ信号として外付け抵抗により固定した電位を電源部に与える方法が一般的であり、一度、出力電圧値を決定してしまうと、後から電圧値の調整を行うのは大変である。つまり、外付け抵抗の抵抗値によって電源部の出力電圧が決まり、一度、電源電圧を調整した後、電源電圧を再調整するには外付け抵抗を交換する必要がある。また、出力ｏｎ／ｏｆｆ制御部３、出力電圧調整部４、５、出力電圧監視部６、７には、それぞれ別々のデバイスが用いられ、回路基板内の実装面積を小さくすることが難しい。
【０００５】
一方、特許文献１にはＲＯＭ内に予め格納した制御プログラムに従って電源を制御すること等が記載され、特許文献２には出力電圧が目標電圧となるようにＰＷＭ（パルス幅変調）を制御する１チップマイクロコンピュータを有することが記載されている。特許文献３には入力電圧や出力電流等を検出するセンサの検出値とスイッチングトランジスタのオン時間との関係をテーブルに格納し、各センサの検出値に基づいて中央制御装置がテーブルからスッチングトランジスタのオン時間を選択してスイッチングトランジタをオン、オフ制御することが記載されている。
【先行技術文献】
【特許文献】
【０００６】
【特許文献１】特開２０００−０２０１４２号公報
【特許文献２】特開２０００−０３２７５３号公報
【特許文献３】特開平１１−１１３２５２号公報
【発明の概要】
【発明が解決しようとする課題】
【０００７】
図１０に示す給電システムでは、電源部の起動順序制御、出力電圧監視、出力電圧調整制御は、それぞれ別々のデバイスで行っているため、回路基板上の給電システムの実装面積を小さくすることが難しい。また、出力電圧調整を行うｔｒｉｍ信号として外付け抵抗により固定した電位を電源部に与えているため、一度、電源部の出力電圧値を決定した後、電源部の出力電圧を別の電圧値に調整するには、外付け抵抗を交換しなければならず、煩雑な作業が必要である。
【０００８】
一方、特許文献１〜３には、ＲＯＭ内に予め格納した制御プログラムに従って電源を制御したり、１チップマイクロコンピュータを用いて電源の制御を行うこと等が記載されているが、デジタルインタフェースを具備しない複数の電源装置を制御する方法に関しては記載されていない。
【０００９】
本発明の目的は、デジタルインタフェースを具備しない電源装置においても、電源の制御を容易に、且つ、小型で実現することが可能な給電システム及び方法を提供することにある。
【課題を解決するための手段】
【００１０】
本発明によれば、電源部と、前記電源部に対応して設けられ、対応する電源部を制御するためのデジタルインタフェースを具備する制御部と、前記制御部とバスを介して接続され、前記制御部との間で通信を行う中央処理部とを具備し、前記制御部は、前記中央処理部から送信された前記電源部を制御するための命令に従い、前記電源部を制御することを特徴とする給電システムが提供される。
【００１１】
また、本発明によれば、電源部と、前記電源部に対応して設けられ、対応する電源部を制御するためのデジタルインタフェースを具備する制御部と、前記制御部とバスを介して接続され、前記制御部との間で通信を行う中央処理部とを具備する給電システムの給電方法であって、前記制御部は、前記中央処理部から送信された前記電源部を制御するための命令に従い、前記電源部を制御することを特徴とする給電方法が提供される。
【００１２】
更に、本発明によれば、電源部を制御するためのデジタルインタフェースを具備する制御装置であって、バスを介して中央制御装置と接続され、前記中央処理部との間で通信を行ない、前記中央処理装置から送信された前記電源部を制御するための命令に従い、前記電源部を制御することを特徴とする制御装置が提供される。
【００１３】
更に、本発明によれば、電源部と、前記電源部に対応して設けられ、対応する電源部を制御するためのデジタルインタフェースを具備する制御部と、前記制御部とバスを介して接続され、前記制御部との間で通信を行う中央処理装置とを具備する給電システムに含まれる中央処理装置であって、当該中央処理装置は、前記電源部を制御するための命令を前記制御部に送信し、前記制御部は、当該中央処理装置から送信された前記命令に従い、前記電源部を制御することを特徴とする中央処理装置が提供される。
【００１４】
更に、本発明によれば、電源装置と、前記電源装置に対応して設けられ、対応する電源装置を制御するためのデジタルインタフェースを具備する制御部と、前記制御部とバスを介して接続され、前記制御部との間で通信を行う中央処理部とを具備する給電システムに含まれる電源装置であって、前記中央処理部から送信された当該電源装置を制御するための命令に従って動作する制御部に従って、制御されることを特徴とする電源装置が提供される。
【発明の効果】
【００１５】
本発明によれば、デジタルインタフェースを具備しない電源装置においても、電源の制御を容易に、且つ、小型で実現することが可能となる。
【図面の簡単な説明】
【００１６】
【図１】本発明に係る給電システムの一実施形態を示すブロック図である。
【図２】図１の制御部の構成例を示すブロック図である。
【図３】本発明の他の実施形態を示すブロック図である。
【図４】電源部と制御部を３個備えた給電システムの実施形態を示すブロック図である。
【図５】制御部の構成例を示すブロック図である。
【図６】中央処理部の構成例を示すブロック図である。
【図７】電源起動シーケンスの一例を示すタイミング図である。
【図８】電源停止シーケンスの一例を示すタイミング図である。
【図９】電源部の出力電圧をセンスする位置を工夫した実施形態を示すブロック図である。
【図１０】従来例の給電システムを示すブロック図である。
【発明を実施するための形態】
【００１７】
次に、発明を実施するための形態について図面を参照して詳細に説明する。図１は本発明に係る給電システムの一実施形態を示すブロック図である。本実施形態では、回路基板上に搭載されたＩＣ、ＬＳＩ等の電子部品に直流電源を供給する給電システムの例を説明する。
【００１８】
電源部１０１は回路基板上の負荷に直流電源を供給する電源装置であり、出力のｏｎ／ｏｆｆを制御するためのｏｎ／ｏｆｆ信号を入力するｏｎ／ｏｆｆ１端子、出力電圧を調整するためのｔｒｉｍ信号を入力するｔｒｉｍ１端子、出力電圧をセンスするためのｓｅｎｓ１端子、入力電圧が供給されるＶｉｎ１端子、出力電圧を取り出すためのＶｏｕｔ１端子を備えている。
【００１９】
電源部１０２も回路基板上の負荷に直流電源を供給する電源装置であり、出力のｏｎ／ｏｆｆを制御するためのｏｎ／ｏｆｆ信号を入力するｏｎ／ｏｆｆ２端子、出力電圧を調整するためのｔｒｉｍ信号を入力するｔｒｉｍ２端子、出力電圧をセンスするためのｓｅｎｓ２端子、入力電圧が供給されるＶｉｎ２端子、出力電圧を取り出すためのＶｏｕｔ２端子を備えている。電源部１０１、１０２はデジタルインタフェースを具備しない電源装置である。１０３、１０４は電源部１０１、１０２に対応して設けられた制御部である。
【００２０】
制御部１０３は電源部１０１に対し、出力のｏｎ／ｏｆｆ制御を行うためのｏｎ／ｏｆｆ信号を出力するｏｎ／ｏｆｆ１端子、電源部１０１の出力電圧の調整を行うためのｔｒｉｍ信号を出力するｔｒｉｍ１端子、電源部１０１の出力電圧をセンスするためのＶｍｏｎ１端子、中央処理部１０５との通信を行うバスインタフェースであるｂｕｓ１端子を備えている。制御部１０３のｏｎ／ｏｆｆ１端子、ｔｒｉｍ１端子、Ｖｍｏｎ１端子は、それぞれ電源部１０１のｏｎ／ｏｆｆ１端子、ｔｒｉｍ１端子、Ｖｏｕｔ１端子と接続されている。
【００２１】
制御部１０４は電源部１０２に対し、出力のｏｎ／ｏｆｆ制御を行うためのｏｎ／ｏｆｆ信号を出力するｏｎ／ｏｆｆ２端子、電源部１０２の出力電圧の調整を行うためのｔｒｉｍ信号を出力するｔｒｉｍ２端子、電源部１０２の出力電圧をモニタするためのＶｍｏｎ２端子、中央処理部１０５との通信を行うバスインタフェースであるｂｕｓ２端子を備えている。制御部１０４のｏｎ／ｏｆｆ２端子、ｔｒｉｍ２端子、Ｖｍｏｎ２端子は、それぞれ電源部１０２のｏｎ／ｏｆｆ２端子、ｔｒｉｍ２端子、Ｖｏｕｔ２端子と接続されている。中央処理部はプログラム制御により動作するＣＰＵ等の制御回路である。
【００２２】
制御部１０３、１０４のｂｕｓ１端子、ｂｕｓ２端子は、それぞれバス１０６を介して中央処理部１０５と接続されている。図１では電源部と制御部は、それぞれ２個示しているが、１個でも３個以上でも構わない。
【００２３】
図２は制御部１０３の構成例を示す。図２は制御部１０３の構成例を示しているが、制御部１０４の構成や動作も同様である。制御部１０３は上述のように電源部１０１に対し、出力のｏｎ／ｏｆｆ制御を行うためのｏｎ／ｏｆｆ信号、電源部１０１の出力電圧の調整を行うためのｔｒｉｍ信号を出力する。また、制御部１０３は電源部１０１の出力電圧をＶｍｏｎ１端子でモニタする。更に、制御部１０３はバスインタフェースであるｂｕｓ１端子からバス１０６を介して中央処理部１０５との通信を行う。１１１はバスインタフェースを示す。
【００２４】
制御部１０３の内部には、デジタル／アナログ変換を行うＤ／Ａ変換部１０７と１０８、アナログ／デジタル変換を行うＡ／Ｄ変換部１０９を含む。Ｄ／Ａ変換部１０７、１０８は、それぞれｏｎ／ｏｆｆ１端子、ｔｒｉｍ１端子に接続され、Ａ／Ｄ変換部１０９はＶｍｏｎ１端子と接続されている。制御部１０３の内部には、メモリ部１１０を含んでいる。
【００２５】
メモリ部１１０は、Ｖｍｏｎ１端子でモニタした電源部１０１の出力電圧値の保存や、ｔｒｉｍ１端子に接続する外付け抵抗の抵抗値（電源部のｔｒｉｍ端子に与える電位）と出力電圧設定値との対応関係を記憶する役割を担う。実際には、電源部１０１のｔｒｉｍ１端子に外付け抵抗は接続せず、電源部１０１のｔｒｉｍ１端子に出力するｔｒｉｍ信号の値と出力電圧設定値との対応関係を記憶する。通常の電源部では、ｔｒｉｍ端子に接続する外付け抵抗の値と出力設定電圧値との対応関係が公開（製造元等が公開）され、この対応関係を制御部のメモリ部に記憶しておく。
【００２６】
本実施形態では、図１に示すように電源部１０１のｔｒｉｍ端子には外付け抵抗は接続せずに、外付け抵抗の抵抗値（実際には電源部のｔｒｉｍ端子に与える電位）と電源部１０１の出力電圧設定値との対応関係を保持しておく。例えば、電源部１０１の出力電圧設定値として５Ｖ、１０Ｖ、１２Ｖ、…、とし、各出力電圧設定値と電源部１０１のｔｒｉｍ端子に与える電位（ｔｒｉｍ信号の値）との関係を保持しておく。電源部１０１を、例えば、出力電圧５Ｖの電源として使用する場合には、電源部１０１のｔｒｉｍ端子に出力電圧が５Ｖとなるように電圧が調整されたｔｒｉｍ信号を出力することで電源部１０１の出力電圧値を５Ｖに調整する。
【００２７】
そのため、一度、電源部１０１の出力電圧値をある電圧値に設定した後、電源部１０１の出力電圧値を別の出力電圧値に変更する場合には、外付け抵抗を交換する必要がなく、容易に別の出力電圧値に調整可能となる。即ち、制御部１０３が中央処理部１０５からの命令に基づいてメモリ部１１０に記憶している別の出力電圧設定値となるように調整されたｔｒｉｍ信号を出力することで、電源部１０１の出力電圧値を別の出力電圧値に調整可能となる。
【００２８】
以上は制御部１０３で電源部１０１を制御する場合の動作の説明であるが、制御部１０４で電源部１０２を制御する場合の動作も全く同様である。また、電源部１０１、１０２の出力電圧値としては、例えば、電源部１０１の出力電圧値を５Ｖとし、電源部１０２の出力電圧値を１２Ｖとするというように複数の電源部の出力電圧値の設定は任意である。なお、メモリ部１１０に所定出力電圧設定値とｔｒｉｍ信号との対応関係を記憶させ、別の所定電圧値に変更する場合にはその所定電圧値とｔｒｉｍ信号との対応関係を更新しても良い。
【００２９】
中央処理部１０５はバス１０６を介して制御部１０３や制御部１０４に対し、電源部の起動命令や電源部の出力電圧調整命令を発行する。制御部１０３や制御部１０４は、中央処理部１０５から電源部の起動命令や出力電圧調整命令を受信すると、電源部１０１や電源部１０２に対し、ｏｎ／ｏｆｆ信号や出力電圧調整のためのｔｒｉｍ信号をアナログ信号で送出する。
【００３０】
制御部１０３、１０４は、中央処理部１０５から命令に従い、電源部１０１、１０２の出力電圧値を一定周期毎にＶｍｏｎ１端子やＶｍｏｎ２端子で監視し、アナログ量の出力電圧値をデジタル値に変換してメモリ部１１０に書き込む。制御部１０３、１０４は中央処理部１０５からの命令に応じて電源部１０１、１０２の出力電圧値をバス１０６を介して中央処理部１０５に送出する。
【００３１】
次に、図１に示す給電システムの具体的な動作を説明する。まず、中央処理部１０５や制御部１０３、１０４に電源が投入されると、中央処理部１０５、制御部１０３、１０４が動作を開始する。電源部１０１、１０２の起動時には、中央処理部１０５から制御部１０３、１０４に対し、起動命令や出力電圧調整命令を発行する。起動命令には電源部１０１と電源部１０２の投入順序が含まれ、中央処理部１０５は複数の電源部の投入順序制御を行う。
【００３２】
制御部１０３、１０４は、中央処理部１０５から起動命令や出力電圧調整命令を受信すると、電源部１０１や電源部１０２に対し、ｏｎ／ｏｆｆ１信号やｏｎ／ｏｆｆ２信号を出力して電源部１０１と電源部１０２を起動させる。例えば、いずれか一方の電源部を先に起動し、その後、他方の電源部を起動するというようにｏｎ／ｏｆｆ信号を用いて投入順序制御を行う。もちろん、必要に応じて２つの電源部を同時に起動することもある。
【００３３】
また、制御部１０３や制御部１０４は、中央処理部１０５からの出力電圧調整命令に従い、電源部１０１や電源部１０２にｔｒｉｍ１信号やｔｒｉｍ２信号を送出する。その際、制御部１０３や制御部１０４では、Ｖｍｏｎ１端子やＶｍｏｎ２端子で電源部１０１や電源部１０２の出力電圧を監視し、Ｖｍｏｎ１端子やＶｍｏｎ２端子でモニタしたアナログ電圧値を図２に示すＡ／Ｄ変換部１０９でデジタル電圧値に変換してメモリ部１１０に書き込む。
【００３４】
制御部１０３や制御部１０４は、中央処理部１０５からの命令に従い、電源部１０１や電源部１０２の出力電圧を一定周期毎に監視しており、この周期は設定により変更可能である。制御部１０３や制御部１０４は、Ｖｍｏｎ１端子やＶｍｏｎ２端子でモニタした電源部１０１や電源１０２の出力電圧値と、メモリ部１１０に記憶している電源部１０１や電源部１０２の出力電圧設定値をそれぞれ比較する。メモリ部１１０に記憶している出力電圧設定値とは中央処理部１０５から指示された電源部の目標とする出力電圧値である。制御部のメモリ部１１０には、電源部の出力電圧設定値とｔｒｉｍ信号との対応関係が保持されている。
【００３５】
制御部１０３や制御部１０４は、電源部１０１や電源部１０２のモニタした出力電圧値が出力電圧設定値よりも低い場合には、出力電圧値を高くする方向にｔｒｉｍ信号の値を変化させて出力する。また、電源部１０１や電源部１０２の出力電圧が出力電圧設定値よりも高い場合には、出力電圧値を低くする方向にｔｒｉｍ信号の値を変化させて出力する。
【００３６】
制御部１０３、１０４では、図２に示すＤ／Ａ変換部１０８で電源部１０１や電源部１０２に対してｔｒｉｍ１信号やｔｒｉｍ２信号をアナログ信号に変換して出力する。このように一定周期毎に各電源部の出力電圧値をモニタし、出力電圧設定値との差分に応じてｔｒｉｍ信号を入力することで各電源部の出力電圧値を所定設定値に一定に調整することが可能となる。
【００３７】
電源部１０１や電源部１０２の停止時には、中央処理部１０５から制御部１０３や制御部１０４に対し、電源部１０１や電源部１０２を停止させる停止命令を発行する。制御部１０３や制御部１０４は、中央処理部１０５から電源部１０１や電源部１０２の停止命令を受信すると、電源部１０１や電源部１０２に対し、ｏｎ／ｏｆｆ１信号やｏｎ／ｏｆｆ２信号を送出して動作を停止させる。その際、例えば、電源部１０１を最初に停止させ、その後、電源部１０２を停止させる等必要に応じて停止順序制御を行っても良い。
【００３８】
本実施形態では、上述のようにデジタルインタフェースを具備しない２個の電源部１０１、１０２を、デジタルインタフェースを具備する制御部１０３、１０４を用いて制御する。制御部１０３、１０４はバスインターフェースであるｂｕｓ端子からバス１０６を介して中央処理部１０５との間で通信を行い、中央処理部１０５からの命令に従って１個以上の電源部１０１、１０２の投入順序制御、出力電圧監視、出力電圧調整の制御を行う。
【００３９】
このようにデジタルインタフェースを具備しない複数の電源部をデジタルインタフェースを具備する制御部を用いて制御することにより、電源投入順序制御、出力電圧監視、出力電圧調整制御を容易に行えると共に、別々のデバイスを用いて電源投入順序、出力電圧監視、出力電圧調整を制御する必要がないため、デジタルインタフェースを具備しない電源部を用いた場合であっても、回路基板上の給電システムの実装面積を小さくすることが可能となる。
【００４０】
図３は本発明の給電システムの他の実施形態を示すブロック図である。図３では図１と同一部分には同一符号を付して説明を省略する。図３は電源部の出力電圧をセンスする位置を工夫した例を示す。図３に示すように電源部１０１のｓｅｎｓ１端子とＶｏｕｔ１端子との間にＡ／Ｄ変換部１１２とＤ／Ａ変換部１１３を直列に接続し、制御部１０３のＶｍｏｎ１端子と電源部１０１のＶｏｕｔ１端子との間にＡ／Ｄ変換部１１４とＤ／Ａ変換部１１５を直列に接続している。
【００４１】
また、電源部１０２のｓｅｎｓ２端子とＶｏｕｔ２端子との間にＡ／Ｄ変換部１１８とＤ／Ａ変換部１１９を直列に接続し、制御部１０４のＶｍｏｎ２端子と電源部１０２のＶｏｕｔ２端子との間にＡ／Ｄ変換部１１６とＤ／Ａ変換部１１７を直列に接続している。それ以外は図１と同様である。
【００４２】
本実施形態では、電源部のＶｏｕｔ端子とｓｅｎｓ端子との間、或いは制御部のＶｍｏｎ端子と電源部のＶｏｕｔ端子との間にＡ／Ｄ変換部とＤ／Ａ変換部を直列に接続することにより、電源部の出力電圧をセンスした信号を、一旦、Ａ／Ｄ変換し、更にＤ／Ａ変換する。従って、電源部から離れた場所のセンスを行う必要がある場合にもセンス信号をデジタル信号で伝送するため、外来ノイズが加わることなくセンス信号を伝送させることが可能となる。
【００４３】
なお、電源部１０１、１０２は、図示する端子以外の端子を含んでいてもよく、それらのうちの少なくとも一部の端子が、デジタルインタフェースの端末であってもよい。
【００４４】
図４は更に本発明の給電システムの他の実施形態を示すブロック図である。本実施形態では、電源部と制御部をそれぞれ３個備えた給電システムの例を示す。図４では図１と同一部分には同一符号を付している。
【００４５】
電源部１０１は回路基板上の負荷に直流電源を供給する電源装置であり、出力のｏｎ／ｏｆｆを制御するためのｏｎ／ｏｆｆ信号を入力するｏｎ／ｏｆｆ１端子、出力電圧を調整するためのｔｒｉｍ信号を入力するｔｒｉｍ１端子、出力電圧をセンスするためのｓｅｎｓ１端子、入力電圧が供給されるＶｉｎ１端子、出力電圧を取り出すためのＶｏｕｔ１端子を備えている。
【００４６】
電源部１０２も回路基板上の負荷に直流電源を供給する電源装置であり、出力のｏｎ／ｏｆｆを制御するためのｏｎ／ｏｆｆ信号を入力するｏｎ／ｏｆｆ２端子、出力電圧を調整するためのｔｒｉｍ信号を入力するｔｒｉｍ２端子、出力電圧をセンスするためのｓｅｎｓ２端子、入力電圧が供給されるＶｉｎ２端子、出力電圧を取り出すためのＶｏｕｔ２端子を備えている。
【００４７】
電源部１２０も回路基板上の負荷に直流電源を供給する電源装置であり、出力のｏｎ／ｏｆｆを制御するためのｏｎ／ｏｆｆ信号を入力するｏｎ／ｏｆｆ３端子、出力電圧を調整するためのｔｒｉｍ信号を入力するｔｒｉｍ３端子、出力電圧をセンスするためのｓｅｎｓ３端子、入力電圧が供給されるＶｉｎ３端子、出力電圧を取り出すためのＶｏｕｔ３端子を備えている。電源部１０１、１０２、１２０はデジタルインタフェースを具備しない電源装置である。１０３、１０４、１２１は、それぞれ電源部１０１、１０２、１２０に対応して設けられた制御部である。
【００４８】
制御部１０３は電源部１０１に対し、出力のｏｎ／ｏｆｆ制御を行うためのｏｎ／ｏｆｆ信号を出力するｏｎ／ｏｆｆ１端子、電源部１０１の出力電圧の調整を行うためのｔｒｉｍ信号を出力するｔｒｉｍ１端子、電源部１０１の出力電圧をセンスするためのＶｍｏｎ１端子、中央処理部１０５との通信を行うバスインタフェースであるｂｕｓ１端子を備えている。制御部１０３のｏｎ／ｏｆｆ１端子、ｔｒｉｍ１端子、Ｖｍｏｎ１端子は、それぞれ電源部１０１のｏｎ／ｏｆｆ１端子、ｔｒｉｍ１端子、Ｖｏｕｔ１端子と接続されている。
【００４９】
制御部１０４は電源部１０２に対し、出力のｏｎ／ｏｆｆ制御を行うためのｏｎ／ｏｆｆ信号を出力するｏｎ／ｏｆｆ２端子、電源部１０２の出力電圧の調整を行うためのｔｒｉｍ信号を出力するｔｒｉｍ２端子、電源部１０２の出力電圧をモニタするためのＶｍｏｎ２端子、中央処理部１０５との通信を行うバスインタフェースであるｂｕｓ２端子を備えている。制御部１０４のｏｎ／ｏｆｆ２端子、ｔｒｉｍ２端子、Ｖｍｏｎ２端子は、それぞれ電源部１０２のｏｎ／ｏｆｆ２端子、ｔｒｉｍ２端子、Ｖｏｕｔ２端子と接続されている。
【００５０】
制御部１２１は電源部１２０に対し、出力のｏｎ／ｏｆｆ制御を行うためのｏｎ／ｏｆｆ信号を出力するｏｎ／ｏｆｆ３端子、電源部１２１の出力電圧の調整を行うためのｔｒｉｍ信号を出力するｔｒｉｍ３端子、電源部１２０の出力電圧をモニタするためのＶｍｏｎ３端子、中央処理部１０５との通信を行うバスインタフェースであるｂｕｓ３端子を備えている。制御部１２１のｏｎ／ｏｆｆ３端子、ｔｒｉｍ３端子、Ｖｍｏｎ３端子は、それぞれ電源部１２０のｏｎ／ｏｆｆ３端子、ｔｒｉｍ３端子、Ｖｏｕｔ３端子と接続されている。中央処理部１０５は、プログラム制御により動作するＣＰＵ等の制御回路である。
【００５１】
制御部１０３、１０４、１２１のｂｕｓ１端子、ｂｕｓ２端子、ｂｕｓ３端子は、それぞれバス１０６を介して中央処理部１０５と接続されている。図４では電源部と制御部は、それぞれ３個示しているが、１、２個でも４個以上でも構わない。
【００５２】
図５は制御部の構成例を示す。図５では図２と同一部分には同一符号を付している。基本的には図５の制御部は図２と同様である。各制御部は対応する電源部に対し出力のｏｎ／ｏｆｆ制御を行うｏｎ／ｏｆｆ端子、出力電圧の制御を行うｔｒｉｍ端子、出力電圧をモニタするＶｍｏｎ端子、中央処理部１０５との通信を行うバスインタフェースであるｂｕｓ端子を具備する。各制御部の内部には、デジタル／アナログ変換を行うＤ／Ａ変換部１０７、１０８、アナログ／デジタル変換を行うＡ／Ｄ変換部１０９を具備する。Ｄ／Ａ変換部１０７、１０８は、ｏｎ／ｏｆｆ端子、ｔｒｉｍ端子に、Ａ／Ｄ変換部１０９はＶｍｏｎ端子に接続されている。
【００５３】
各制御部の内部にはメモリ部１１０を具備する。メモリ部１１０は、Ｖｍｏｎ端子でモニタした電源部の出力電圧値の保存やｔｒｉｍ端子に接続する外付け抵抗の抵抗値（電源部のｔｒｉｍ端子に与える電位）と出力電圧設定値との対応関係を記憶する役割を担う。電源部のｔｒｉｍ端子に外付け抵抗は接続せず、電源部のｔｒｉｍ端子に出力するｔｒｉｍ信号の値と出力電圧設定値との対応関係を記憶する。
【００５４】
図１では電源部の出力電圧値を変更する場合、制御部が中央処理部１０５からの命令に基づいてメモリ部１１０に記憶している別の出力電圧設定値となるように調整されたｔｒｉｍ信号を出力することで、電源部１０１の出力電圧値を別の出力電圧値に調整可能となる。また、メモリ部１１０に所定出力電圧設定値とｔｒｉｍ信号との対応関係を記憶させ、別の所定電圧値に変更する場合には、その所定電圧値とｔｒｉｍ信号との対応関係を更新しても良いと説明したが、図５に示すように制御部の内部にメモリ制御部１２３を設け、メモリ制御部１２３が電源部の出力電圧値とｔｒｉｍ信号との関係を示すテーブルを変更することで電源部の出力電圧を変更することができる。
【００５５】
図６は中央処理部１０５の構成例を示す。中央処理部１０５の内部には、複数の制御部に対して命令を送る順序を制御するための送信順序制御部１２４、制御部との通信を行うバスインターフェースであるｂｕｓ端子を備えている。１２５はメモリ部、１２６はバスインターフェースを示す。図１、図３の中央処理部でも図６の構成と同じであっても良い。
【００５６】
本実施形態では、上述のように電源部のｔｒｉｍ端子には外付け抵抗は接続せずに、外付け抵抗の抵抗値（実際には電源部のｔｒｉｍ端子に与える電位）と電源部の出力電圧設定値との対応関係を保持しておく。例えば、電源部の出力電圧設定値として５Ｖ、１０Ｖ、１２Ｖ、…、とし、各出力電圧設定値と電源部のｔｒｉｍ端子に与える電位（ｔｒｉｍ信号の値）との関係を保持しておく。電源部を、例えば、出力電圧５Ｖの電源として使用する場合には、電源部のｔｒｉｍ端子に出力電圧が５Ｖとなるように電圧が調整されたｔｒｉｍ信号を出力し、電源部の出力電圧値を５Ｖに調整する。その際、メモリ制御部１２３でテーブルを書き換えることにより電源部の出力電圧を変更できる。そのため、一度、電源部の出力電圧値をある電圧値に設定した後、電源部の出力電圧値を別の出力電圧値に変更する場合には、外付け抵抗を交換する必要がなく、容易に別の出力電圧値に調整可能となる。
【００５７】
以上は制御部１０３で電源部１０１を制御する場合の動作の説明であるが、制御部１０４で電源部１０２を制御する場合や制御部１２１で電源部１２０を制御する場合の動作も全く同様である。
【００５８】
中央処理部１０５はバス１０６を介して制御部１０３、１０４、１２１に対し、電源部の起動命令や停止命令や電源部の出力電圧調整命令等を発行する。制御部１０３、１０４、１２１は、中央処理部１０５から電源部の起動命令や停止命令や出力電圧調整命令を受信すると、一対一に接続されている電源部１０１、１０２、１２０に対し、ｏｎ／ｏｆｆ信号や出力電圧調整のためのｔｒｉｍ信号をアナログ信号で送出する。
【００５９】
また、制御部１０３、１０４、１２１は、中央処理部１０５からの命令に従い、電源部１０１、１０２、１２０の出力電圧値を一定周期毎にＶｍｏｎ１端子やＶｍｏｎ２端子やＶｍｏｎ３端子で監視し、監視したアナログ量の出力電圧値をＡ／Ｄ変換部１０９でデジタル電圧値に変換してメモリ部１１０に書き込む。制御部１０３、１０４、１２１は、それぞれ中央処理部１０５からの命令に応じて電源部１０１、１０２、１２０の出力電圧値をバス１０６を介して中央処理部１０５に送出する。
【００６０】
次に、図４に示す給電システムの具体的な動作について説明する。中央処理部１０５や制御部１０３、１０４、１２１に電源が投入されると、中央処理部１０５、制御部１０３、１０４、１２１が動作を開始する。
【００６１】
まず、起動シーケンスが不要な場合の電源部の起動時には、中央処理部１０５から全ての制御部に対し、ｏｎ／ｏｆｆ信号、ｔｒｉｍ信号を送出する。中央処理部１０５からｏｎ／ｏｆｆ信号やｔｒｉｍ信号を受けた制御部は、それぞれ対応する電源部に対しｏｎ／ｏｆｆ信号、ｔｒｉｍ信号を送出する。各電源部はｏｎ／ｏｆｆ信号を受け取ると、Ｖｏｕｔ端子から出力電圧を出力する。
【００６２】
次に、起動シーケンスが必要な場合の電源部の起動方法について説明する。起動シーケンスの情報（どの電源部を一番初めに起動させ、その次に遅延時間をどれだけ確保し、どの電源部を起動させるかという情報）は、予め中央処理部１０５の内部に具備する命令送信順序制御部１２４に格納しておく。中央処理部１０５はｂｕｓ端子にバス１０６上の各制御部へ向けて電源起動要求信号を送出する。電源起動要求信号には、電源の番号（電源部を識別する番号）、及び電源を起動させるまでの遅延時間に関する情報が含まれている。
【００６３】
図７は電源起動シーケンスの一例を示す。図７に示す電源起動シーケンスは、一番初めに電源部１０１が起動し、電源部１０１が起動し始めてからｔ１−２時間後に電源部１０２が起動し、電源部１０２が起動し始めてからｔ２−３時間後に電源部１２０が起動する例を示す。中央処理部１０５は、電源部１０１を起動させる電源起動要求信号をｂｕｓ端子に出力する。電源部１０１と接続されている制御部１０３は、中央処理部１０５から電源起動要求信号を受け取ると、電源部１０１に対しｏｎ／ｏｆｆ信号を送出する。電源部１０１はｏｎ／ｏｆｆ信号を受け取ると、Ｖｏｕｔ端子から出力電圧を出力する。
【００６４】
中央処理部１０５は、図７に示すように電源部１０１を起動させる電源起動要求信号をｂｕｓ端子に出力してからｔ１−２時間後に、電源部１０２を起動させる電源起動要求信号をｂｕｓ端子に出力する。電源部１０２と接続されている制御部１０４は、中央処理部１０５から電源起動要求信号を受け取ると、電源部１０２に対しｏｎ／ｏｆｆ信号を送出する。電源部１０２はｏｎ／ｏｆｆ信号を受け取ると、同様にＶｏｕｔ端子から出力電圧を出力する。
【００６５】
次いで、中央処理部１０５は電源部１０２を起動させる電源起動要求信号をｂｕｓ端子に出力してからｔ２−３時間後に、電源部１２０を起動させる電源起動要求信号をｂｕｓ端子に出力する。電源部１２０と接続されている制御部１２１は、中央処理部１０５から電源起動要求信号を受け取ると、電源部１２０に対しｏｎ／ｏｆｆ信号を送出する。電源部１２０はｏｎ／ｏｆｆ信号を受け取ると、Ｖｏｕｔ端子から出力電圧を出力する。
【００６６】
各電源部が起動した後は、それぞれ対応する制御部ではＶｍｏｎ端子で電源部の出力電圧を監視し、アナログ量の電圧値をデジタル量に変換して監視電圧値をメモリ部１１０に書き込む。各制御部は、電源部の出力電圧を一定周期毎（設定により変更可能）に監視する動作を継続して行う。
【００６７】
また、各制御部では、Ｖｍｏｎ端子に入力された電源部の出力電圧値とメモリ部１１０に格納された出力電圧設定値を比較し、電源部の出力電圧が出力電圧設定値よりも低い場合には出力電圧を高くする方向にｔｒｉｍ信号を出力する。一方、電源部の出力電圧値が出力電圧設定値よりも高い場合には、出力電圧を低くする方向にｔｒｉｍ信号を出力する。Ｖｍｏｎ端子に入力された電源部の出力電圧値はメモリ部１１０に格納される。
【００６８】
各制御部から対応する電源部に出力されるｔｒｉｍ信号は、電源部毎に値が異なる。通常の電源では、ｔｒｉｍ端子に接続する外付け抵抗の値と、出力電圧の値の対応関係が公開されているため、この対応関係を制御部内のメモリ部１１０に格納し、電源部が異なる場合は対応関係を更新することで、異なる電源に対しｔｒｉｍ信号を出力することが可能となる。電源部の出力電圧を変更する場合の、ｔｒｉｍ信号の更新方法について説明する。中央処理部１０５のｂｕｓ端子からバス１０６上の各制御部へ向けて電源電圧設定信号を送出する。制御部は、電源電圧設定信号を受け取ると、送出された電源電圧設定信号に対応するｔｒｉｍ信号を、対応する電源部に対して送出する。電源部は電源電圧設定信号で設定された電圧値の出力電圧を出力する。この更新は上述のようにメモリ制御部１２３がテーブルを更新して行う。電源電圧設定信号とｔｒｉｍ信号との対応関係は上述のようにメモリ部に保持している。
【００６９】
中央処理部１０５は、内部の命令送信順序制御部１２４に記憶させたプログラムにより各制御部で電源部の出力電圧を一定周期毎に監視した値を、一定周期毎に収集する役割を持つ。中央処理部１０５は、ｂｕｓ端子からバス１０６上の各制御部へ向けて電圧確認要求信号を送出する。各制御部は中央処理部１０５から電圧確認要求信号を受け取ると、中央処理部１０５に対し電圧値を含んだ電圧確認回答信号を送信する。
【００７０】
次に、電源部を停止させる場合の動作について説明する。まず、停止シーケンスが不要な場合の電源部の停止時には、中央処理部１０５から全ての制御部に対しｏｎ／ｏｆｆ信号（停止命令）を送出する。中央処理部１０５からｏｎ／ｏｆｆ信号を受けた制御部は、対応する電源部に対しｏｎ／ｏｆｆ信号を送出する。電源部はｏｎ／ｏｆｆ信号を受け取ると電圧出力を停止する。
【００７１】
また、複数の電源部の停止シーケンスが必要な場合の電源停止方法について説明する。電源停止シーケンスの情報（どの電源部を一番初めに停止させ、その次にどの電源部を停止させるか、という情報）は、予め中央処理部１０５の内部に設けられた命令送信順序制御部１２４に格納しておく。中央処理部１０５は、ｂｕｓ端子からバス１０６上の各制御部へ向けて電源停止要求信号を送出する。電源停止要求信号には、電源部の番号（電源部を識別する番号）及び電源部を停止させるまでの遅延時間に関する情報が含まれている。
【００７２】
図８は電源停止シーケンスの一例を示す。図８に示す電源停止シーケンスは、一番初めに電源部１０１が停止し、電源部１０１が停止し始めてからｔ１−２時間後に電源部１０２が停止し、電源部１０２が停止し始めてからｔ２−３時間後に電源部１２０が停止する例を示す。各制御部は電源停止要求信号を受け取ると、対応する電源部に対し、ｏｎ／ｏｆｆ信号を送出する。電源部はｏｎ／ｏｆｆ信号を受け取ると、電圧出力を停止する。
【００７３】
具体的に説明すると、中央処理部１０５は電源部１０１を停止させる電源停止要求信号をｂｕｓ端子に出力する。電源部１０１と接続されている制御部１０３は、中央処理部１０５から電源停止要求信号を受け取ると、電源部１０１に対しｏｎ／ｏｆｆ信号を送出する。電源部１０１はｏｎ／ｏｆｆ信号を受け取ると、Ｖｏｕｔ端子からの電圧出力を停止する。
【００７４】
次いで、中央処理部１０５は図８に示すように電源部１０１を停止させる電源起動要求信号をｂｕｓ端子に出力してからｔ１−２時間後に電源部１０２を停止させる電源停止要求信号をｂｕｓ端子に出力する。電源部１０２と接続されている制御部１０４は中央処理部１０５から電源停止要求信号を受け取ると、電源部１０２に対しｏｎ／ｏｆｆ信号を送出する。電源部１０２はｏｎ／ｏｆｆ信号を受け取ると、Ｖｏｕｔ端子からの電圧出力を停止する。
【００７５】
次に、中央処理部１０５は、電源部１０２を停止させる電源停止要求信号をｂｕｓ端子に出力してからｔ２−３時間後に、電源部１２０を停止させる電源停止要求信号をｂｕｓ端子に出力する。電源部１２０と接続されている制御部１２１は中央処理部１０５から電源停止要求信号を受け取ると、電源部１２０に対しｏｎ／ｏｆｆ信号を送出する。電源部１２０はｏｎ／ｏｆｆ信号を受け取ると、同様にＶｏｕｔ端子からの電圧出力を停止する。
【００７６】
本実施形態では、同様にデジタルインタフェースを具備しない３個の電源部１０１、１０２、１２０を、デジタルインタフェースを具備する制御部１０３、１０４、１２１を用いて制御する。制御部１０３、１０４、１２１はバスインタフェースであるｂｕｓ端子からバス１０６を介して中央処理部１０５との間で通信を行い、中央処理部１０５からの命令に従って１個以上の電源部１０１、１０２、１２０の投入順序制御、停止順序制御、出力電圧監視、出力電圧調整の制御を行う。
【００７７】
このようにデジタルインタフェースを具備しない複数の電源部をデジタルインタフェースを具備する制御部を用いて制御することにより、電源投入順序制御、停止順序制御、出力電圧監視、出力電圧調整制御を容易に行えると共に、別々のデバイスを用いて電源投入順序、停止順序制御、出力電圧監視、出力電圧調整を制御する必要がないため、デジタルインタフェースを具備しない電源部を用いた場合であっても、回路基板上の給電システムの実装面積を小さくすることが可能となる。
【００７８】
図９は図４の実施形態に対して電源部の出力電圧をセンスする位置を工夫した実施形態を示すブロック図である。図９では図３や図４と同一部分には同一符号を付している。図９に示すように電源部１０１のｓｅｎｓ１端子とＶｏｕｔ１端子との間にＡ／Ｄ変換部１１２とＤ／Ａ変換部１１３を直列に接続し、制御部１０３のＶｍｏｎ１端子と電源部１０１のＶｏｕｔ１端子との間にＡ／Ｄ変換部１１４とＤ／Ａ変換部１１５を直列に接続している。
【００７９】
また、電源部１０２のｓｅｎｓ２端子とＶｏｕｔ２端子との間にＡ／Ｄ変換部１１８とＤ／Ａ変換部１１９を直列に接続し、制御部１０４のＶｍｏｎ２端子と電源部１０２のＶｏｕｔ２端子との間にＡ／Ｄ変換部１１６とＤ／Ａ変換部１１７を直列に接続している。更に、電源部１２０のｓｅｎｓ３端子とＶｏｕｔ３端子との間にＡ／Ｄ変換部１３０とＤ／Ａ変換部１３１を直列に接続し、制御部１２１のＶｍｏｎ３端子と電源部１２０のＶｏｕｔ３端子との間にＡ／Ｄ変換部１３２とＤ／Ａ変換部１３３を直列に接続している。
【００８０】
ここで、電源部１０１のｓｅｎｓ１端子とＶｏｕｔ１端子との間にＡ／Ｄ変換部１１２とＤ／Ａ変換部１１３を直列に接続しているが、電源部１０１のＶｏｕｔ１端子にＡ／Ｄ変換部１１２の入力端子を接続する場合には、双方の端子間距離は所定距離以内とし、Ｄ／Ａ変換部１１３の出力端子を電源部１０１のｓｅｎｓ１端子に接続する場合も双方の端子間距離は所定距離以内とする。
【００８１】
また、制御部１０３のＶｍｏｎ１端子と電源部１０１のＶｏｕｔ１端子との間にＡ／Ｄ変換部１１４とＤ／Ａ変換部１１５を直列に接続しているが、電源部１０１のＶｏｕｔ１端子にＡ／Ｄ変換部１１４の入力端子を接続する場合も双方の端子間距離は所定距離以内とし、制御部１０３のＶｍｏｎ１端子にＤ／Ａ変換部１１５の入力端子を接続する場合も双方の端子間距離は所定距離以内とする。
【００８２】
なお、電源部１０２のｓｅｎｓ２端子とＶｏｕｔ２端子との間にＡ／Ｄ変換部１１８とＤ／Ａ変換部１１９を接続する場合や制御部１０４のＶｍｏｎ２端子と電源部１０２のＶｏｕｔ２端子との間にＡ／Ｄ変換部１１６とＤ／Ａ変換部１１７を接続する場合も全く同様である。
【００８３】
また、電源部１２０のｓｅｎｓ３端子とＶｏｕｔ３端子との間にＡ／Ｄ変換部１３０とＤ／Ａ変換部１３１を接続する場合や制御部１２１のＶｍｏｎ３端子と電源部１２０のＶｏｕｔ３端子との間にＡ／Ｄ変換部１３２とＤ／Ａ変換部１３３を接続する場合も全く同様である。
【００８４】
ここで、所定距離以内とは、部品配置上、他の部品を含む部品間の配置の制限を考慮した上で、できる限り各電源部のＶｏｕｔ端子と各Ａ／Ｄ変換部の入力端子との距離を近くし、各電源部のｓｅｎｓ端子と各Ｄ／Ａ変換部の出力端子との距離を近くすることをいう。また、できる限り各制御部のＶｍｏｎ端子と各Ｄ／Ａ変換部の出力端子との距離を近くすることをいう。
【００８５】
本実施形態では、図３と同様に電源部のＶｏｕｔ端子とｓｅｎｓ端子との間、或いは制御部のＶｍｏｎ端子と電源部のＶｏｕｔ端子との間にＡ／Ｄ変換部とＤ／Ａ変換部を直列に接続することにより、電源部の出力電圧をセンスした信号を、一旦、Ａ／Ｄ変換し、更にＤ／Ａ変換する。従って、電源部から離れた場所のセンスを行う必要がある場合にもセンス信号をデジタル信号で伝送するため、外来ノイズが加わることなくセンス信号を伝送させることが可能となる。なお、電源部１０１、１０２、１２０は、図示する端子以外の端子を含んでいてもよく、それらのうちの少なくとも一部の端子が、デジタルインタフェースの端末であってもよい。
【００８６】
以上の実施形態では、中央処理部と複数の制御部が一本のバスで接続され、制御部の数が増加すると、バス上で制御信号が衝突する確率が高くなることが考えられるが、上述のように中央処理部１０５から複数の制御部に対して起動順序（停止順序）に従い起動命令（停止命令）を送信するため、バス上で起動命令（停止命令）の順序がずれ、制御部の数が増加しても、制御信号が衝突する確率を低減できる。そのため、制御部と中央処理部との間の制御信号の遅延を小さくできる。
【００８７】
なお、上記実施形態の一部又は全部は、以下の付記のようにも記載されうるが、以下には限らない。
【００８８】
（付記１）
電源部と、
前記電源部に対応して設けられ、対応する電源部を制御するためのデジタルインタフェースを具備する制御部と、
前記制御部とバスを介して接続され、前記制御部との間で通信を行う中央処理部とを具備し、
前記制御部は、前記中央処理部から送信された前記電源部を制御するための命令に従い、前記電源部を制御することを特徴とする給電システム。
【００８９】
（付記２）
前記制御部は、前記中央処理部からの命令に従い、対応する電源部の電源投入タイミングの制御、対応する電源部の電源停止タイミングの制御、対応する電源部の出力電圧監視、又は、対応する電源部の出力電圧調整を行なうことを特徴とする付記１に記載の給電システム。
【００９０】
（付記３）
前記電源部の出力端子に該出力端子から所定距離以内の場所でその入力端子が接続されたＡ／Ｄ変換器と、前記制御部のモニタ端子に該モニタ端子から所定距離以内の場所でその出力端子が接続されたＤ／Ａ変換器とを更に備え、
前記電源部の出力電圧監視において、前記電源部の出力端子から出力された出力電圧は、前記Ａ／Ｄ変換器でＡ／Ｄ変換され、前記Ａ／Ｄ変換器の出力デジタル信号は、前記Ｄ／Ａ変換器でアナログ信号に変換され、該アナログ信号が前記モニタ端子に入力されることを特徴とする付記２に記載の給電システム。
【００９１】
（付記４）
前記電源部と前記制御部との組が複数備わり、
前記中央処理部は、複数の制御部に対して、所定のシーケンスに従って、それぞれに対応する電源部の電源投入を指示する信号を出力し、又は、所定のシーケンスに従って、それぞれに対応する電源部の電源停止タイミングを指示する信号を出力し、
前記複数の制御部の各々は、前記中央処理部から入力した電源部の電源投入を指示する信号に従って、対応する電源部の電源を投入し、又は、前記制御部から入力した電源部の電源停止を指示する信号に従って、対応する電源部の電源を停止することを特徴とする付記２又は３に記載の給電システム。
【００９２】
（付記５）
前記制御部は、対応する電源部の所定の出力電圧設定値毎に前記電源部に出力する出力電圧調整のための制御信号との対応関係をメモリ部に記憶し、前記対応する電源部の出力電圧値を調整する場合には、前記メモリ部に記憶している調整後の出力電圧設定値に対応した前記制御信号を前記対応する電源部に出力することを特徴とする付記２乃至４の何れか１に記載の給電システム。
【００９３】
（付記６）
前記電源部と前記制御部との組が複数備わり、
前記中央処理部は、複数の制御部に対して、所定のシーケンスに従って、それぞれに対応する電源部の電源投入を指示する信号を出力し、又は、所定のシーケンスに従って、それぞれに対応する電源部の電源停止タイミングを指示する信号を出力し、
前記複数の制御部の各々は、前記中央処理部から入力した電源部の電源投入を指示する信号に従って、対応する電源部の電源を投入し、又は、前記制御部から入力した電源部の電源停止を指示する信号に従って、対応する電源部の電源を停止することを特徴とする付記２乃至５の何れか１に記載の給電システム。
【００９４】
（付記７）
電源部と、
前記電源部に対応して設けられ、対応する電源部を制御するためのデジタルインタフェースを具備する制御部と、
前記制御部とバスを介して接続され、前記制御部との間で通信を行う中央処理部とを具備する給電システムの給電方法であって、
前記制御部は、前記中央処理部から送信された前記電源部を制御するための命令に従い、前記電源部を制御することを特徴とする給電方法。
【００９５】
（付記８）
前記制御部は、前記中央処理部からの命令に従い、対応する電源部の電源投入タイミングの制御、対応する電源部の電源停止タイミングの制御、対応する電源部の出力電圧監視、又は、対応する電源部の出力電圧調整を行なうことを特徴とする付記７に記載の給電方法。
【００９６】
（付記９）
前記給電システムは、前記電源部の出力端子に該出力端子から所定距離以内の場所でその入力端子が接続されたＡ／Ｄ変換器と、前記制御部のモニタ端子に該モニタ端子から所定距離以内の場所でその出力端子が接続されたＤ／Ａ変換器とを更に備え、
前記電源部の出力電圧監視において、前記電源部の出力端子から出力された出力電圧は、前記Ａ／Ｄ変換器でＡ／Ｄ変換され、前記Ａ／Ｄ変換器の出力デジタル信号は、前記Ｄ／Ａ変換器でアナログ信号に変換され、該アナログ信号が前記モニタ端子に入力されることを特徴とする付記８に記載の給電方法。
【００９７】
（付記１０）
前記給電システムは、前記電源部の出力端子に該出力端子から所定距離以内の場所でその入力端子が接続された第２のＡ／Ｄ変換器と、前記電源部のセンス端子に該センス端子から所定距離以内の場所でその出力端子が接続された第２のＤ／Ａ変換器とを更に備え、
前記電源部の出力端子から出力された出力電圧は、前記第２のＡ／Ｄ変換器でＡ／Ｄ変換され、前記第２のＡ／Ｄ変換器の出力デジタル信号は、前記第２のＤ／Ａ変換器でアナログ信号に変換され、該アナログ信号が前記センス端子に入力されることを特徴とする付記８又は９に記載の給電方法。
【００９８】
（付記１１）
前記制御部は、対応する電源部の所定の出力電圧設定値毎に前記電源部に出力する出力電圧調整のための制御信号との対応関係をメモリ部に記憶し、前記対応する電源部の出力電圧値を調整する場合には、前記メモリ部に記憶している調整後の出力電圧設定値に対応した前記制御信号を前記対応する電源部に出力することを特徴とする付記８乃至１０の何れか１に記載の給電方法。
【００９９】
（付記１２）
前記給電システムは、前記電源部と前記制御部との組を複数備え、
前記中央処理部は、複数の制御部に対して、所定のシーケンスに従って、それぞれに対応する電源部の電源投入を指示する信号を出力し、又は、所定のシーケンスに従って、それぞれに対応する電源部の電源停止タイミングを指示する信号を出力し、
前記複数の制御部の各々は、前記中央処理部から入力した電源部の電源投入を指示する信号に従って、対応する電源部の電源を投入し、又は、前記制御部から入力した電源部の電源停止を指示する信号に従って、対応する電源部の電源を停止することを特徴とする付記８乃至１１の何れか１に記載の給電方法。
【０１００】
（付記１３）
電源部を制御するためのデジタルインタフェースを具備する制御装置であって、
バスを介して中央制御装置と接続され、前記中央処理部との間で通信を行ない、
前記中央処理装置から送信された前記電源部を制御するための命令に従い、前記電源部を制御することを特徴とする制御装置。
【０１０１】
（付記１４）
前記中央処理装置からの命令に従い、電源部の電源投入タイミングの制御、電源部の電源停止タイミングの制御、電源部の出力電圧監視、又は、電源部の出力電圧調整を行なうことを特徴とする付記１３に記載の制御装置。
【０１０２】
（付記１５）
前記電源部の出力端子に該出力端子から所定距離以内の場所でその入力端子が接続されたＡ／Ｄ変換器と、当該制御装置のモニタ端子に該モニタ端子から所定距離以内の場所でその出力端子が接続されたＤ／Ａ変換器とを利用し、
前記電源部の出力電圧監視において、前記電源部の出力端子から出力された出力電圧は、前記Ａ／Ｄ変換器でＡ／Ｄ変換され、前記Ａ／Ｄ変換器の出力デジタル信号は、前記Ｄ／Ａ変換器でアナログ信号に変換され、該アナログ信号が当該制御装置の前記モニタ端子に入力されることを特徴とする付記１４に記載の制御装置。
【０１０３】
（付記１６）
電源部の所定の出力電圧設定値毎に前記電源部に出力する出力電圧調整のための制御信号との対応関係をメモリ部に記憶し、前記電源部の出力電圧値を調整する場合には、前記メモリ部に記憶している調整後の出力電圧設定値に対応した前記制御信号を前記電源部に出力することを特徴とする付記１４又は１５に記載の制御装置。
【０１０４】
（付記１７）
当該制御装置は、前記電源部と制御装置との組が複数備わる給電システムに含まれる制御装置であり、
前記中央処理装置は、複数の制御装置に対して、所定のシーケンスに従って、それぞれに対応する電源部の電源投入を指示する信号又は電源停止タイミングを指示する信号を出力し、
前記当該制御装置は、前記中央処理部から入力した電源部の電源投入を指示する信号に従って、対応する電源部の電源を投入し、又は、前記制御装置から入力した電源部の電源停止を指示する信号に従って、対応する電源部の電源を停止することを特徴とする付記１４乃至１６の何れか１に記載の制御装置。
【０１０５】
（付記１８）
電源部と、
前記電源部に対応して設けられ、対応する電源部を制御するためのデジタルインタフェースを具備する制御部と、
前記制御部とバスを介して接続され、前記制御部との間で通信を行う中央処理装置とを具備する給電システムに含まれる中央処理装置であって、
当該中央処理装置は、前記電源部を制御するための命令を前記制御部に送信し、
前記制御部は、当該中央処理装置から送信された前記命令に従い、前記電源部を制御することを特徴とする中央処理装置。
【０１０６】
（付記１９）
前記制御部は、当該中央処理装置からの命令に従い、対応する電源部の電源投入タイミングの制御、対応する電源部の電源停止タイミングの制御、対応する電源部の出力電圧監視、又は、対応する電源部の出力電圧調整を行なうことを特徴とする付記１８に記載の中央処理装置。
【０１０７】
（付記２０）
前記制御部は、対応する電源部の所定の出力電圧設定値毎に前記電源部に出力する出力電圧調整のための制御信号との対応関係をメモリ部に記憶し、
前記制御部が、対応する電源部の出力電圧値を調整する場合には、当該中央処理装置は、前記制御部にその調整のための命令を前記制御部に出力し、
前記制御部は、前記メモリ部に記憶している調整後の出力電圧設定値に対応した前記制御信号を前記対応する電源部に出力することを特徴とする付記１９に記載の中央処理装置。
【０１０８】
（付記２１）
前記給電システムには、前記電源部と前記制御部との組が複数備わり、
当該中央処理装置は、複数の制御部に対して、所定のシーケンスに従って、それぞれに対応する電源部の電源投入を指示する信号を出力し、又は、所定のシーケンスに従って、それぞれに対応する電源部の電源停止タイミングを指示する信号を出力し、
前記複数の制御部の各々は、当該中央処理装置から入力した電源部の電源投入を指示する信号に従って、対応する電源部の電源を投入し、又は、前記制御部から入力した電源部の電源停止を指示する信号に従って、対応する電源部の電源を停止することを特徴とする付記１９又は２０に記載の中央処理装置。
【０１０９】
（付記２２）
電源装置と、
前記電源装置に対応して設けられ、対応する電源装置を制御するためのデジタルインタフェースを具備する制御部と、
前記制御部とバスを介して接続され、前記制御部との間で通信を行う中央処理部とを具備する給電システムに含まれる電源装置であって、
前記中央処理部から送信された当該電源装置を制御するための命令に従って動作する制御部に従って、制御されることを特徴とする電源装置。
【０１１０】
（付記２３）
前記中央処理部からの命令に従って動作する制御部により、電源投入タイミングの制御、電源停止タイミングの制御、又は、出力電圧調整が行われることを特徴とする付記２２に記載の電源装置。
【０１１１】
（付記２４）
前記電源装置の出力端子に該出力端子から所定距離以内の場所でその入力端子が接続されたＡ／Ｄ変換器と、前記制御部のモニタ端子に該モニタ端子から所定距離以内の場所でその出力端子が接続されたＤ／Ａ変換器とを更に備え、
当該電源装置の出力電圧監視において、当該電源装置の出力端子から出力された出力電圧は、前記Ａ／Ｄ変換器でＡ／Ｄ変換され、前記Ａ／Ｄ変換器の出力デジタル信号は、前記Ｄ／Ａ変換器でアナログ信号に変換され、該アナログ信号が前記モニタ端子に入力されることを特徴とする付記２３に記載の電源装置。
【０１１２】
（付記２５）
前記電源部の出力端子に該出力端子から所定距離以内の場所でその入力端子が接続された第２のＡ／Ｄ変換器と、前記電源部のセンス端子に該センス端子から所定距離以内の場所でその出力端子が接続された第２のＤ／Ａ変換器とを更に備え、
前記電源部の出力端子から出力された出力電圧は、前記第２のＡ／Ｄ変換器でＡ／Ｄ変換され、前記第２のＡ／Ｄ変換器の出力デジタル信号は、前記第２のＤ／Ａ変換器でアナログ信号に変換され、該アナログ信号が前記センス端子に入力されることを特徴とする付記２３又は２４記載の電源装置。
【０１１３】
（付記２６）
前記制御部は、当該電源装置の所定の出力電圧設定値毎に前記電源装置に出力する出力電圧調整のための制御信号との対応関係をメモリ部に記憶し、
当該電源装置の出力電圧値が調整される場合には、前記メモリ部に記憶している調整後の出力電圧設定値に対応した前記制御信号を、前記制御部から入力することを特徴とする付記２２乃至２５の何れか１に記載の電源装置。
【０１１４】
（付記２７）
前記電源装置と前記制御部との組を複数備え、
当該電源装置は、複数の電源装置のうちの何れかの電源装置であり、
前記中央処理部は、複数の制御部に対して、所定のシーケンスに従って、それぞれに対応する電源部の電源投入を指示する信号を出力し、又は、所定のシーケンスに従って、それぞれに対応する電源部の電源停止タイミングを指示する信号を出力し、
前記複数の制御部の各々は、前記中央処理部から入力した電源装置の電源投入を指示する信号に従って、対応する電源装置の電源を投入し、又は、前記制御部から入力した電源装置の電源停止を指示する信号に従って、対応する電源装置の電源を停止することを特徴とする付記２３乃至２６の何れか１に記載の電源装置。
【符号の説明】
【０１１５】
１０１、１０２、１２０  電源部
１０３、１０４、１２１  制御部
１０５  中央処理部
１０６  バス
１０７、１０８  Ｄ／Ａ変換部
１０９  Ａ／Ｄ変換部
１１０、１２５  メモリ部
１１１  バスインタフェース
１１２、１１４、１１６、１１８、１３０、１３２  Ａ／Ｄ変換部
１１３、１１５、１１７、１１９、１３１、１３３  Ｄ／Ａ変換部
１２３  メモリ制御部
１２４  命令送信順序制御部
【図１】
2012235678.tif 000003
【図２】
2012235678.tif 000004
【図３】
2012235678.tif 000005
【図４】
2012235678.tif 000006
【図５】
2012235678.tif 000007
【図６】
2012235678.tif 000008
【図７】
2012235678.tif 000009
【図８】
2012235678.tif 000010
【図９】
2012235678.tif 000011
【図１０】
2012235678.tif 000012